(57)【要約】【課題】所望の距離離れた位置における吹出気流に含まれる機能性成分の濃度を高くできる送風装置を提供する。【解決手段】送風装置１は、空気の吸込口２１と、吸込口２１から取り入れた空気を高圧空気にする高圧空気発生手段３０と、高圧空気を吹出す第１吹出口４１と、第１吹出口４１の外周に設けられ、高圧空気を吹出す第２吹出口４２と、第１吹出口４１及び第２吹出口４２から吹出す高圧空気に誘引されて空気を吸い込む誘引空気吸込口２３と、第１吹出口４１と第２吹出口４２との間で、誘引空気吸込口２３に吸い込まれた空気を吹出す誘引空気吹出口４３と、筐体１３から吹出す吹出気流に機能性成分を導入する機能性成分導入手段と、を備える。吹出気流は、第１吹出口４１から吹出す第１吹出気流と、第２吹出口４２から吹出す第２吹出気流と、誘引空気吹出口４３から吹出す誘引気流とを含み、機能性成分導入手段７０は、第１吹出気流に機能性成分を導入する。【選択図】図３
2020041436.tif 000002
【特許請求の範囲】
【請求項１】
筐体に、前記筐体外の空気を取り入れる吸込口と、
前記吸込口から取り入れた空気を高圧空気にする高圧空気発生手段と、
前記高圧空気を吹き出す第１吹出口と、
前記第１吹出口の外周に設けられ、前記高圧空気を吹き出す第２吹出口と、
前記第１吹出口および前記第２吹出口から吹き出す前記高圧空気に誘引されて前記筐体外の空気を吸い込む誘引空気吸込口と、
前記第１吹出口と前記第２吹出口との間に設けられ、前記誘引空気吸込口に吸い込まれた空気を吹き出す誘引空気吹出口と、
前記筐体から吹き出す吹出気流に機能性成分を導入する機能性成分導入手段と、を備え、
前記吹出気流は、前記第１吹出口から吹き出す第１吹出気流と、
前記第２吹出口から吹き出す第２吹出気流と、
前記誘引空気吹出口から吹き出す誘引気流と、を含み、
前記機能性成分導入手段は、前記第１吹出気流に機能性成分を導入することを特徴とする送風装置。
【請求項２】
前記第１吹出気流の吹出風速と前記第２吹出気流の吹出風速を調節する風速調節手段を備えることを特徴とする請求項１に記載の送風装置。
【請求項３】
前記風速調節手段は、前記第１吹出気流の吹出風速よりも前記第２吹出気流の吹出風速を高く制御することを特徴とする請求項１または請求項２に記載の送風装置。
【請求項４】
前記誘引空気吹出口から吹き出される誘引気流の風量を調節する調節手段を備えることを特徴とする請求項１乃至３のいずれか一項に記載の送風装置。
【請求項５】
前記第１吹出気流の吹出方向に対して、前記第２吹出気流の吹出方向が外向きとなることを特徴とする請求項１乃至４のいずれか一項に記載の送風装置。
【発明の詳細な説明】
【技術分野】
【０００１】
本発明は、送風装置に関し、特に機能性成分が含まれた吹出気流を送風する送風装置に関するものである。
【背景技術】
【０００２】
従来、この種の送風装置として、蒸発した薬剤（機能性成分）を含ませた気流を吹き出して送風を行うものが知られている（例えば、特許文献１参照）。
【０００３】
以下、従来の送風装置について、図９を参照しながら説明する。
【０００４】
図９は、従来の送風装置の一例を示す断面図である。図９に示すように、従来の送風装置２０１は、吸気口２０２と排気口２０３とを有する外箱２０４と、外箱２０４内の吸気口２０２側に配置されたファン２０５と、外箱２０４内の排気口２０３側に配置された蒸発板２０６と、機能性成分（例えば、薬剤）２０７を蒸発板２０６に滴下する滴下装置２０８と、滴下された機能性成分２０７を蒸発させるヒーター２０９と、を備える。
【０００５】
従来の送風装置２０１は、ファン２０５を回転させることにより、空気を吸気口２０２から外箱２０４内に吸気し、この空気と蒸発した機能性成分２０７とが混合されてなる混合気２１０を排気口２０３から外箱２０４外に吹出気流として排気する。
【先行技術文献】
【特許文献】
【０００６】
【特許文献１】特開２００７−１１１３４５号公報
【発明の概要】
【発明が解決しようとする課題】
【０００７】
このような従来の送風装置２０１では、機能性成分２０７を含む吹出気流に対して、周囲から吹出気流に合流する空気（機能性成分２０７を含まない空気）の風量が多くなる。これは、空気という流体の粘性の性質上、排気口２０３から吹き出された機能性成分２０７を含む吹出気流に誘引されることで、吹出気流周囲の静止している空間内の空気（機能性成分２０７を含まない空気）が吹出気流に合流することになるためである。その結果、機能性成分２０７を含む吹出気流を、送風装置２０１から所望の距離離れた位置に送風しても、その位置における吹出気流に含まれる機能性成分２０７の濃度が低くなってしまうという課題を有していた。
【０００８】
そこで本発明は、上記従来の課題を解決するものであり、所望の距離離れた位置における吹出気流に含まれる機能性成分の濃度を高くすることが可能な送風装置を提供することを目的とする。
【課題を解決するための手段】
【０００９】
そして、この目的を達成するために、本発明に係る送風装置は、筐体に、筐体外の空気を取り入れる吸込口と、吸込口から取り入れた空気を高圧空気にする高圧空気発生手段と、高圧空気を吹き出す第１吹出口と、第１吹出口の外周に設けられ、高圧空気を吹き出す第２吹出口と、第１吹出口および第２吹出口から吹き出す高圧空気に誘引されて筐体外の空気を吸い込む誘引空気吸込口と、第１吹出口と第２吹出口との間に設けられ、誘引空気吸込口に吸い込まれた空気を吹き出す誘引空気吹出口と、筐体から吹き出す吹出気流に機能性成分を導入する機能性成分導入手段と、を備える。吹出気流は、第１吹出口から吹き出す第１吹出気流と、第２吹出口から吹き出す第２吹出気流と、誘引空気吹出口から吹き出す誘引気流と、を含み、機能性成分導入手段は、第１吹出気流に機能性成分を導入することを特徴とする。
【発明の効果】
【００１０】
本発明によれば、送風装置から所望の距離離れた位置における吹出気流に含まれる機能性成分の濃度を高くすることが可能な送風装置を提供することができる。
【図面の簡単な説明】
【００１１】
【図１】図１は、本発明の実施の形態１に係る送風装置の前方斜視図である。
【図２】図２は、同送風装置の後方斜視図である。
【図３】図３は、図１の同送風装置のＸ面での断面図である。
【図４】図４は、同送風装置から送風された際に発生する気流の流れを示す模式図である。
【図５】図５は、本発明の実施の形態２に係る送風装置（調節カバーを未装着の状態）の前方斜視図である。
【図６】図６は、同送風装置の調節カバーの斜視図である。
【図７】図７は、同送風装置の誘引空気吸込口を閉塞していない場合の前方斜視図である。
【図８】図８は、同送風装置の誘引空気吸込口を閉塞した場合の前方斜視図である。
【図９】図９は、従来の送風装置の一例を示す断面図である。
【発明を実施するための形態】
【００１２】
本発明に係る送風装置は、筐体に、筐体外の空気を取り入れる吸込口と、吸込口から取り入れた空気を高圧空気にする高圧空気発生手段と、高圧空気を吹き出す第１吹出口と、第１吹出口の外周に設けられ、高圧空気を吹き出す第２吹出口と、第１吹出口および第２吹出口から吹き出す高圧空気に誘引されて筐体外の空気を吸い込む誘引空気吸込口と、第１吹出口と第２吹出口との間に設けられ、誘引空気吸込口に吸い込まれた空気を吹き出す誘引空気吹出口と、筐体から吹き出す吹出気流に機能性成分を導入する機能性成分導入手段と、を備える。吹出気流は、第１吹出口から吹き出す第１吹出気流と、第２吹出口から吹き出す第２吹出気流と、誘引空気吹出口から吹き出す誘引気流と、を含み、機能性成分導入手段は、第１吹出気流に機能性成分を導入することを特徴とする。
【００１３】
こうした構成によれば、第１吹出気流と第２吹出気流との間に誘引空気吹出口から吹き出された誘引気流が流れるため、送風装置から一定距離離れる位置まで、第１吹出気流と第２吹出気流とが合流することを抑制することができる。また、送風装置周囲の空間内の多くの静止空気が第２吹出気流に合流することになるため、第１吹出気流に誘引される気流は誘引気流の一部のみになり、第１吹出気流に合流する空気の風量を少なくすることができる。これらの結果、機能性成分導入手段を使って第１吹出気流に機能性成分を導入した時に、一定濃度の機能性成分が含まれた第１吹出気流の濃度の距離減衰が小さくなり、送風装置から所望の距離離れた位置における第１吹出気流に含まれる機能性成分の濃度を高くすることが可能になる。
【００１４】
また、送風装置は、第１吹出気流の吹出風速と第２吹出気流の吹出風速を調節する風速調節手段を備えることを特徴とする。
【００１５】
これにより、第１吹出気流と第２吹出気流のそれぞれの風速の大小の相対関係およびその風速差を変化させることによって、送風装置から第１吹出気流と第２吹出気流との合流位置までの距離を変化させることが可能になる。すなわち、第１吹出気流に含まれる機能性成分の濃度の向上効果が得られる送風装置からの距離を調節することが可能になる。
【００１６】
また、風速調節手段は、第１吹出気流の吹出風速よりも第２吹出気流の吹出風速を高く制御することを特徴とする。
【００１７】
これにより、送風装置から第１吹出気流と第２吹出気流との合流位置までの距離が大きくなる。その結果、送風装置から所望の距離離れた位置における第１吹出気流に含まれる機能性成分の濃度を高くすることが可能になる。
【００１８】
また、誘引空気吹出口から吹き出される誘引気流の風量を調節する調節手段を備えることを特徴とする。
【００１９】
これにより、誘引気流の風量を調節することで、送風装置から第１吹出気流と第２吹出気流との合流位置までの距離の調節が可能になる。すなわち、第１吹出気流に含まれる機能性成分の濃度の向上効果が得られる送風装置からの距離を調節することが可能になる。
【００２０】
また、第１吹出気流の吹出方向に対して、第２吹出気流の吹出方向が外向きとすることを特徴とする。
【００２１】
これにより、誘引気流が流れる第１吹出気流と第２吹出気流との間の領域が拡がり、送風装置から第１吹出気流と第２吹出気流との合流位置までの距離が大きくなる。その結果、同一濃度の機能性成分を届けるために必要となる効能発生源の使用量の低減効果が得られる範囲を大きくすることが可能になる。
【００２２】
以下、本発明の実施の形態を図面に基づいて説明する。ただし、以下に示す実施の形態は、本発明の技術思想を具体化するための送風装置を例示するものであって、本発明は送風装置を以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明の実施の形態を構成する各要素は、複数の要素を同一の部材で構成して一の部材で複数の要素を兼用する態様としてもよいし、逆に一の部材の機能を複数の部材で分担して実現することもできる。また、一部の実施例、実施の形態において説明された内容は、他の実施例、実施の形態等に利用可能なものもある。
【００２３】
（実施の形態１）
まず、図１〜図３を参照して、本発明の実施の形態１に係る送風装置について説明する。図１は、本発明の実施の形態１に係る送風装置の前方斜視図である。図２は、同送風装置の後方斜視図である。図３は、図１の同送風装置のＸ面での断面図である。
【００２４】
図１に示すように、送風装置１は、円弧状の曲面で形成される窪み１１を有する土台１２と、その窪み１１上に設置される円筒形の筐体１３とから構成されている。
【００２５】
筐体１３は、円筒形の一方の端面に、第１吹出口４１、第２吹出口４２、誘引空気吹出口４３が設けられている。また、筐体１３は、円筒形の側面に、誘引空気吸込口２３、機能性成分導入手段７０が設けられている。
【００２６】
第１吹出口４１は、円筒形の一方の端面の中央部に、円形状に設けられている。第１吹出口４１は、高圧空気発生手段３０（図３参照）で発生した高圧空気を第１吹出気流８１（図４参照）として吹き出す。第１吹出口４１による空気の吹き出し方向は、円筒形を構成する２つの端面を結ぶ筐体１３の中心軸４０（図３参照）に沿った方向である。
【００２７】
第２吹出口４２は、第１吹出口４１の外周側に、環形状に設けられている。第２吹出口４２は、高圧空気発生手段３０で発生した高圧空気を第２吹出気流８２（図４参照）として吹き出す。詳細は後述するが、第２吹出口４２による空気の吹き出し方向は、第１吹出口４１による空気の吹き出し方向に対して外向きの方向である。
【００２８】
なお、第１吹出口４１の開口面積と第２吹出口４２の開口面積とは同等に設定している。
【００２９】
誘引空気吹出口４３は、第１吹出口４１と第２吹出口４２との間に、環形状に設けられている。誘引空気吹出口４３は、第１吹出口４１から吹き出される第１吹出気流８１および第２吹出口４２から吹き出される第２吹出気流８２によって誘引される空気を誘引気流８３（図４参照）として吹き出す。
【００３０】
誘引空気吸込口２３は、筐体１３の側面を貫通する矩形状の開口部であり、筐体１３の側面の周方向に沿って等間隔に６個設けられている。なお、６個の誘引空気吸込口２３の合計の開口面積は、誘引空気吹出口４３の開口面積と同等に設定されている。
【００３１】
誘引空気吸込口２３は、第１吹出口４１から吹き出される第１吹出気流８１および第２吹出口４２から吹き出される第２吹出気流８２に誘引されて筐体１３外の空気を吸い込む。誘引空気吸込口２３から吸い込まれた空気は、誘引空気吹出口４３から筐体１３外に吹き出される。
【００３２】
機能性成分導入手段７０については後述する。
【００３３】
次に、図２に示すように、送風装置１の筐体１３は、円筒形の他方の端面（一方の端面とは反対側の端面）に、吸込口２１が設けられている。
【００３４】
吸込口２１は、円筒形の他方の端面の中央部に、円形状に設けられている。吸込口２１の円形状内は、細い格子状に加工されている。吸込口２１は、筐体１３外の空気を吸い込む。詳細は後述するが、吸込口２１から吸い込まれた空気は、高圧空気発生手段３０（図３参照）によって高圧空気となり、第１吹出口４１および第２吹出口４２から筐体１３外に吹き出される。
【００３５】
図３に示すように、送風装置１は、筐体１３内に、高圧空気発生手段３０、機能性成分導入手段７０を備える。
【００３６】
高圧空気発生手段３０は、高圧空気（大気圧以上の空気）を発生するための遠心羽根車３１と、遠心羽根車３１を駆動するためのモータ３２と、モータ３２を筐体１３内に固定するためのモータステイ３３とを含んで構成される。高圧空気発生手段３０は、吸込口２１から吸い込んだ空気を高圧空気にして送風する。
【００３７】
機能性成分導入手段７０は、貯蔵容器７１、滴下装置７２、気化フィルタ７３を含んで構成される。
【００３８】
貯蔵容器７１は、機能性成分の素となる薬液を貯蔵する。また、貯蔵容器７１は、筐体１３の側面から脱着・交換可能となっている。
【００３９】
滴下装置７２は、貯蔵容器７１と接続して設けられ、貯蔵容器７１から補給される機能性成分の素を気化フィルタ７３に滴下する。
【００４０】
気化フィルタ７３は、滴下された機能性成分の素を吸収するとともに蒸発させる。気化フィルタ７３は、モータステイ３３に固定されて、後述する第１風路６１内に設けられる。
【００４１】
ここで、機能性成分とは、水分、香料などのことを指しており、水分であれば加湿された気流、香料であれば香りを有する気流を形成することが可能になる。本実施の形態では、機能性成分として香料を選定している。
【００４２】
次に、第１吹出口４１および第２吹出口４２による空気の吹き出し方向について、図３を参照して説明する。
【００４３】
第１吹出口４１は、筐体１３内の第１内周壁面４４によって構成されている。第１吹出口４１を構成する第１内周壁面４４は、筐体１３の中心軸４０と平行になるように形成されている。これにより、第１吹出口４１による空気の吹き出し方向は、筐体１３の中心軸４０（図３参照）に沿った方向に制御される。
【００４４】
第２吹出口４２は、筐体１３の外周壁面４５と筐体１３内の第２内周壁面４６によって構成される。第２内周壁面４６は、第１内周壁面４４の外周側に配置されている。
【００４５】
第２吹出口４２を構成する外周壁面４５は、第１内周壁面４４と同様、筐体１３の中心軸４０と平行になるように形成されている。一方、第２吹出口４２を構成する第２内周壁面４６は、筐体１３の中心軸４０に対して外向きの角度を有するように形成されている。すなわち、第１内周壁面４４に対しても、外向きの角度を有するように形成されている。これにより、第２吹出口４２による空気の吹き出し方向は、第１吹出口４１による空気の吹き出し方向に対して外向きの方向に制御される。
【００４６】
次に、送風装置１内の風路について、図３を参照して説明する。
【００４７】
送風装置１には、筐体１３内に、第１風路６１、第２風路６２、誘引風路６３の３つの風路が形成される。図３では、各風路の代表的な風路がそれぞれ１つ図示されている。
【００４８】
第１風路６１は、吸込口２１から高圧空気発生手段３０を経由して第１吹出口４１までを連通する風路である。第１風路６１内には、高圧空気発生手段３０と第１吹出口４１との間の領域において機能性成分導入手段７０（特に気化フィルタ７３）が設けられている。
【００４９】
第２風路６２は、吸込口２１から高圧空気発生手段３０を経由して第２吹出口４２までを連通する風路である。第２風路６２は、第１風路６１とは異なり、機能性成分導入手段７０と区分されて設けられている。
【００５０】
誘引風路６３は、誘引空気吸込口２３から誘引空気吹出口４３までを連通する風路である。
【００５１】
続いて、送風装置１の動作時における気流について、図３、４を参照して説明する。図４は、送風装置１から送風された際に発生する気流の流れを示す模式図である。
【００５２】
送風装置１が稼動すると、モータ３２が駆動し、遠心羽根車３１が回転する。これに伴い、送風装置１内部には、上述した３種類の風路（第１風路６１、第２風路６２、誘引風路６３）をそれぞれ流れる３種類の気流（第１吹出気流８１、第２吹出気流８２、誘引気流８３）が発生する。また、送風装置１外部には、送風装置１からの吹出気流（特に第２吹出気流８２）に誘引されて外周誘引気流８４が発生する。
なお、遠心羽根車３１には、例えばターボファンが用いられる。
【００５３】
第１吹出気流８１は、第１風路６１を経由して吹き出される気流である。具体的には、吸込口２１から筐体１３内に取り込まれた空気が、高圧空気発生手段３０（特に遠心羽根車３１、モータステイ３３）を通過して流れ、さらに機能性成分導入手段７０から機能性成分が添加された後、第１吹出口４１から吹き出される気流である。つまり、第１吹出気流８１は、機能性成分を含む気流である。
【００５４】
第２吹出気流８２は、第２風路６２を経由して吹き出される気流である。具体的には、吸込口２１から筐体１３内に取り込まれた空気が、高圧空気発生手段３０（遠心羽根車３１、モータステイ３３）を通過して流れた後、第２吹出口４２から吹き出される気流である。なお、第２吹出気流８２は、機能性成分を含まない気流である。
【００５５】
誘引気流８３は、誘引風路６３を経由して吹き出される気流である。具体的には、第１吹出気流８１および第２吹出気流８２が吹き出されると同時に、第１吹出気流８１および第２吹出気流８２によって誘引される空気が、そのまま誘引空気吹出口４３から吹き出される気流である。
【００５６】
外周誘引気流８４は、第２吹出気流８２の外周側に発生する気流であり、送風装置１周囲の空気が、送風装置１からの第２吹出気流８２に誘引されて発生する誘引気流である。なお、外周誘引気流８４は、第２吹出気流８２の内周側に流れている第１吹出気流８１には誘引されない。
【００５７】
このように、送風装置１の動作時には、送風装置１から、機能性成分を含む第１吹出気流８１と、機能性成分を含まない第２吹出気流８２と、第１吹出気流８１および第２吹出気流８２によって誘引されて発生する誘引気流８３とが吹き出される。また、これに伴い、第２吹出気流８２の外側に、第２吹出気流８２によって誘引されて発生する外周誘引気流８４が発生する。
【００５８】
次に、これらの４種類の気流の流れ方について、図４を参照して説明する。なお、図４では、４種類の気流を模式的に示しているが、詳細な図面は省略しており、送風装置１の中心軸４０に対して片側の領域のみを図示している。
【００５９】
第１吹出気流８１は、第１吹出口４１から吹き出され、中心軸４０に沿った方向に流れる。また、第２吹出気流８２は、第２吹出口４２から吹き出され、中心軸４０に対して外向きの方向に流れる。その後、第２吹出気流８２は、送風装置１から一定距離離れた合流点９２において第１吹出気流８１と合流する。
【００６０】
送風装置１から一定距離離れた合流点９２において第２吹出気流８２が第１吹出気流８１に合流する場合、送風装置１から第１吹出気流８１と第２吹出気流８２とが吹き出されることによって、第１吹出気流８１と第２吹出気流８２とで囲まれる包囲領域９１が形成される。
【００６１】
誘引気流８３は、誘引空気吹出口４３から吹き出され、この包囲領域９１に流れる。誘引気流８３の全ては、送風装置１から一定距離離れた合流点９２までに、第１吹出気流８１もしくは第２吹出気流８２に徐々に合流することになる。つまり、誘引気流８３は、送風装置１から離れるにしたがって、第１吹出気流８１および第２吹出気流８２に徐々に合流していくことになる。言い換えれば、誘引気流８３が第１吹出気流８１と第２吹出気流８２との間に流れているため、送風装置１から一定距離離れる位置（合流点９２）まで、第２吹出気流８２が第１吹出気流８１に合流することが抑制されることになる。
【００６２】
また、外周誘引気流８４は、送風装置１から合流点９２までの間において、送風装置１から離れるにしたがって、第２吹出気流８２のみに合流することになる。言い換えれば、外周誘引気流８４は、第２吹出気流８２が存在することによって、第１吹出気流８１への合流が抑制されることになる。
【００６３】
一般的に、ある気流に一定濃度の機能性成分が含まれている場合、誘引されて合流する空気の風量が少なければ機能性成分の濃度は高くなる。その一方で、誘引されて合流する気流の風量が多ければ機能性成分の濃度は低くなる。
【００６４】
上述したように、送風装置１と合流点９２との間の領域においては、機能性成分を含む第１吹出気流８１に誘引されて合流する空気は誘引気流８３の一部となるので、合流する空気の風量は少ない。このため、第１吹出気流８１の機能性成分の濃度の距離減衰が小さくなり、第１吹出気流８１の機能性成分の濃度は送風装置１と合流点９２との間の領域において高くなる。
【００６５】
以上、本実施の形態１に係る送風装置１によれば、第１吹出気流８１と第２吹出気流８２との間に誘引空気吹出口４３から吹き出された誘引気流８３が流れるため、送風装置１から一定距離離れる位置まで、第１吹出気流８１と第２吹出気流８２とが合流することを抑制することができる。また、送風装置１周囲の空間内の多くの静止空気（外周誘引気流８４）が第２吹出気流８２に合流することになるため、第１吹出気流８１に誘引される気流は誘引気流８３の一部のみになり、第１吹出気流８１に合流する空気の風量を少なくすることができる。これらの結果、機能性成分導入手段７０を使って第１吹出気流８１に機能性成分を導入した時に、一定濃度の機能性成分が含まれた第１吹出気流８１の濃度の距離減衰が小さくなり、送風装置１から所望の距離離れた位置における第１吹出気流８１に含まれる機能性成分の濃度を高くすることが可能になる。
【００６６】
また、本実施の形態１に係る送風装置１によれば、送風装置１から所望の距離離れた位置に、同一濃度の機能性成分を届けるために必要となる機能成分効能発生源の使用量の低減が可能になる。言い換えれば、所望の距離離れた位置に、同一濃度の機能性成分を届けるために必要となる機能性成分の素の使用量の低減が可能になる。
【００６７】
次に、本実施の形態１に係る送風装置１では、高圧空気発生手段３０を構成する遠心羽根車３１を経由した筐体１３内の気流は、旋回成分を有しているため、筐体１３の内周壁面に沿って流れやすくなる。また、第２風路６２は、図３に示すように、第１風路６１と比較して、遠心羽根車３１から吹出口までにおける気流の偏向程度が小さいため、風路の圧力損失は小さい。こうした構造が要因となって、筐体１３内に吸い込まれた空気の半分以上の流量が第２風路６２に流れる。これらの結果、第１吹出口４１の開口面積と第２吹出口４２の開口面積を同等に設定していても、第２吹出気流８２の吹出風速は、第１吹出気流８１の吹出風速と比較して速くなる。
【００６８】
したがって、本実施の形態１に係る送風装置１では、第１吹出気流８１の吹出風速と第２吹出気流８２の吹出風速とが同一である場合と比較して、合流点９２を送風装置１からより離れた位置に設定することができる。これは、第２吹出気流８２に合流する誘引気流８３の流量は増加することになり、誘引気流８３の全てが第２吹出気流８２に合流し切るまでの送風装置１からの距離が拡大することになるからである。
【００６９】
以上、本発明に関して実施の形態１をもとに説明した。これらの実施の形態１は例示であり、それらの各構成要素や各処理プロセスの組合せにいろいろな変形例が可能なこと、またそうした変形例も本発明の範囲にあることは当業者に理解されるところである。
【００７０】
本実施の形態１では、６個の誘引空気吸込口２３の合計の開口面積は、誘引空気吹出口４３の開口面積と同等に設定しているが、双方の開口面積の大小の相対関係に特に限定はない。しかしながら、誘引気流８３の風量は、誘引風路６３中の最小となる風路断面積の影響を受け、風路断面積が一定値以下になると、風路断面積が小さくなるほど低下することが分かっている。本発明の効果を享受できる範囲は、誘引気流８３の風量の大きさに影響を受ける合流点９２の位置によって依存するため、誘引空気吸込口２３の開口面積および誘引空気吹出口４３の開口面積は一定値以上に大きくすることが望ましい。ただし、この一定値の具体的な寸法や設計指針は、第１吹出口４１および第２吹出口４２における吹出風速や第１吹出口４１と第２吹出口４２との位置関係など、様々な寸法や構造によって変化するので、それらに合わせて適宜設定すればよい。
【００７１】
また、本実施の形態１では、図１に示すように、誘引空気吸込口２３が矩形状に６個形成されているが、誘引空気吸込口２３の形状や個数に限定はなく、形状は円形や多角形など自由に選択できる。ただし、形状や個数によっては、第２風路６２の圧力損失の増加に伴って送風装置の騒音も悪化する可能性があるため、複数個の円形や楕円形などに設定することで、第２風路６２の圧力損失を抑制することが望ましい。
【００７２】
また、本実施の形態１では、図１に示すように、筐体１３を円筒形状で表したが、筐体１３の形状としては特にこれに限定されるものではなく、多面体形状（正多面体や切頂多面体）、多角柱形状、有機的なフォルム形状など自由に選択することができる。
【００７３】
また、本実施の形態１では、図１に示すように、１個の第２吹出口４２が環形状に形成されているが、個数や形状に限定はない。ただし、設定される個数・形状に関わらず、全ての第２吹出口４２の第１吹出口４１からの距離を同等に設定することで、上述の効果が最大限に発揮されることになるため、環形状に設定することが望ましい。
【００７４】
また、本実施の形態１では、図３に示すように、第２内周壁面４６は、第１内周壁面４４に対して、外向きの角度を有するように形成されている。これによって、第２吹出気流８２の吹出方向が、第１吹出気流８１の吹出方向に対して外向きになるように設定しているが、必ずしも外向きである必要性はない。ただし、外向きに設定することで、包囲領域９１が大きく形成されることになる。これにより、誘引気流８３の流量を増加させることが可能になり、合流点９２を送風装置１からより離れた位置に設定することが可能になる。その結果、第１吹出気流８１の機能性成分の濃度が高くなる送風装置１からの距離を拡大することが可能になり、本発明の効果を享受できる範囲を拡げることが可能になる。各種設計値によって最適な値は変化するが、第２吹出気流８２の吹出方向を第１吹出気流８１の吹出方向に対して外向き１０°から４０°の範囲内に設定することが好ましい。
【００７５】
また、本実施の形態１では、第１吹出口４１の開口面積と第２吹出口４２の開口面積とは同等に設定しているが、両者の相対関係に特に限定はない。ただし、第２吹出口４２の吹出風速が、第１吹出口４１の吹出風速と比較して高くなることが望ましい。これは、上述の通り、合流点９２を送風装置１からより離れた位置に設定することが可能になり、本発明の効果を享受できる範囲を拡げることが可能になるためである。
【００７６】
そのため、第２風路６２の圧力損失を抑制する誘引空気吸込口２３の設計などにより、第２風路６２の圧力損失を、第１風路６１の圧力損失と比較して小さくすることで、第２吹出口４２の吹出風速を第１吹出口４１の吹出風速と比較して高くなるように設定することによって、本発明の効果を享受できる範囲の拡大は可能である。
【００７７】
また、第１風路６１の圧力損失と第２風路６２の圧力損失が同一の条件下においても、第２吹出口４２の吹出面積を、第１吹出口４１の吹出面積と比較して小さくすることで、第２吹出口４２の吹出風速を第１吹出口４１の吹出風速と比較して高くなるように設定することによっても、本発明の効果を享受できる範囲の拡大は可能である。ただし、第２吹出口４２の吹出風速が、第１吹出口４１の吹出風速と比較して大幅に速くなるように設定した場合には、第１吹出気流８１自体が第２吹出気流８２に誘引され、包囲領域９１が小さくなる。この結果、合流点９２が送風装置１により近い位置に設定されてしまうことになり、本発明の効果を享受できる範囲を狭めてしまうため、注意が必要である。
【００７８】
また、本実施の形態１では、図３に示すように、機能性成分導入手段７０が筐体１３内に設けられているが、筐体１３外でも構わない。これによって、送風装置１内に機能性成分が残存することが抑制されるため、使用者の好みで異なる機能性成分を選択した場合において、前に選択していた機能性成分と混合することによる違和感や効果の低下が招かれることが抑制される。
【００７９】
また、本実施の形態１では、図３に示すように、高圧空気発生手段３０の遠心羽根車３１としてターボファンを設けているが、必ずしもターボファンである必要はない。ただし、送風装置１の大きさ、第１吹出口４１および第２吹出口４２の寸法にもよるが、第１風路６１および第２風路６２には一定の圧力損失が発生する。そのため、圧力損失がかかっても一定の風量を創出することが可能であるターボファンやシロッコファンを選定することが望ましい。
【００８０】
また、本実施の形態１では、貯蔵容器７１、滴下装置７２、気化フィルタ７３で構成される機能性成分導入手段７０を用いたが、第１吹出気流８１への機能性成分の導入量は、気化フィルタ７３からの蒸発量および気化フィルタ７３周囲を流れる第１吹出気流８１の風量に依存する。そのため、第１吹出気流８１への機能性成分の導入量を増加させるためには、気化フィルタ７３にヒーターを併設させることで気化フィルタ７３からの機能性成分の蒸発量を増加させ、気化フィルタ７３を第１吹出気流８１の流れ方向に対して垂直もしくは角度を設けることで気化フィルタ７３周囲を流れる第１吹出気流８１の風量を増加させてもよい。
【００８１】
（実施の形態２）
本発明の実施の形態２に係る送風装置１は、誘引空気吸込口２３の開口面積を調節が可能である点で実施の形態１と異なる。これ以外の送風装置１の構成は、実施の形態１と同様である。以下、実施の形態１で説明済みの内容は再度の説明を適宜省略し、実施の形態１と異なる点を主に説明する。
【００８２】
図５〜８を参照して、本発明の実施の形態２に係る送風装置１における誘引空気吸込口２３の開口面積の調節機構について説明する。図５は、本実施の形態２に係る送風装置１（調節カバー２６が未装着の状態）の前方斜視図である。図６は、送風装置１の調節カバー２６の斜視図である。図７は、送風装置１の誘引空気吸込口２３を閉塞していない場合の前方斜視図である。図８は、送風装置１の誘引空気吸込口２３を閉塞した場合の前方斜視図である。
【００８３】
図５に示すように、後述する調節カバー２６が未装着の状態の送風装置１は、筐体１３の側面（誘引空気吸込口２３が形成される領域）に、筐体１３の外壁面から中心軸４０（図３参照）に向かって、円周全体にわたり凹部２５が形成されている。
【００８４】
凹部２５は、筐体１３の壁面の厚み以下の一定の深さ（例えば、筐体１３の壁面の厚さの約半分程度の深さ）を有している。
【００８５】
誘引空気吸込口２３は、凹部２５内に設けられている。具体的には、誘引空気吸込口２３は、凹部２５の底面に位置する筐体１３の側面を貫通して、実施の形態１と同様、筐体１３の側面の周方向に沿って等間隔に６個形成されている。ここで、筐体１３の側面を貫通する矩形状の開口部を第１開口部２３ａとする。
【００８６】
図６に示すように、調節カバー２６は、中空円筒状に構成されている。円筒形の側壁部の厚みは、凹部２５の凹み部分を補完する厚み（例えば、筐体１３の壁面の厚さの約半分程度の深さ）を有している。つまり、調節カバー２６の側壁部の厚みは、凹部２５の凹み部分の深さと同等となっている。
【００８７】
調節カバー２６の側面には、誘引空気吸込口２３の第１開口部２３ａと同等以上の開口領域を有する第２開口部２６ａが設けられている。具体的には、第２開口部２６ａは、第１開口部２３ａの面積以上であり、かつ、隣接する第１開口部２３ａの間の領域（筐体１３の側面）の面積以下である。第２開口部２６ａは、調節カバー２６の円周方向に沿って等間隔に誘引空気吸込口２３と同数個の６個設けられている。
【００８８】
次に、調節カバー２６を装着した状態の送風装置１について、図７を参照して説明する。
【００８９】
図７に示すように、送風装置１は、筐体１３の側面の凹部２５に挟み込んで調節カバー２６を装着している。
【００９０】
調節カバー２６は、誘引空気吸込口２３を覆いながら筐体１３の円筒形の円周方向（誘引空気吹出口４３と同心円上）に手動でスライドさせることが可能であり、誘引空気吸込口２３が室内空気との連通する割合（誘引空気吸込口２３の有効開口面積）を変化させることができる。つまり、調節カバー２６によって、誘引空気吹出口４３から吹き出される誘引気流８３の風量を調節することができる。なお、誘引空気吸込口２３の有効開口面積とは、筐体１３外からの空気の吸い込みに利用可能な開口面積のことである。
【００９１】
図７は、調節カバー２６が誘引空気吸込口２３を閉塞していない状態（誘引空気吸込口２３の有効開口面積が誘引空気吸込口２３の開口面積と同じ状態）を示している。
【００９２】
この構成によれば、誘引空気吸込口２３が筐体１３外の空気と完全に連通しているので、誘引気流８３の風量を最大に設定していることになる。つまり、送風装置１から合流点までの距離を最大に設定していることになる。その結果、本発明の効果を享受できる範囲を最大に設定することができる。
【００９３】
図８は、調節カバー２６が誘引空気吸込口２３を閉塞した状態（誘引空気吸込口２３の有効開口面積が誘引空気吸込口２３の開口面積と半分の状態）を示している。
【００９４】
この構成によれば、誘引空気吸込口２３が筐体１３外の空気と連通する割合が半分になるので、誘引気流８３の風量もそれに応じて減少することになる。つまり、調節カバー２６が誘引空気吸込口２３を閉塞していない場合に比べて、送風装置１から合流点までの距離が短くすることができる。
【００９５】
このように、誘引空気吸込口２３の開口面積を調節することで、誘引気流８３の風量を調節することが可能となる。
【００９６】
以上、本実施の形態２に係る送風装置１によれば、実施の形態１と同様、機能性成分導入手段７０を使って第１吹出気流８１に機能性成分を導入した時に、一定濃度の機能性成分が含まれた第１吹出気流８１の濃度の距離減衰が小さくなり、送風装置１から所望の距離離れた位置における第１吹出気流８１に含まれる機能性成分の濃度を高くすることが可能になる。
【００９７】
特に、調節カバー２６を用いて誘引気流８３の風量を調節することが可能になり、送風装置１から第１吹出気流８１と第２吹出気流８２との合流位置（合流点９１）までの距離の調節が可能になる。すなわち、第１吹出気流８１に含まれる機能性成分の濃度の向上効果が得られる送風装置１からの距離を調節することが可能になる。
【００９８】
以上、本発明に関して実施の形態２をもとに説明した。これらの実施の形態２は例示であり、それらの各構成要素や各処理プロセスの組合せにいろいろな変形例が可能なこと、またそうした変形例も本発明の範囲にあることは当業者に理解されるところである。
【００９９】
本実施の形態２では、調節カバー２６を手動でスライドさせるように構成したが、ステッピングモータに用いて自動でスライドさせるようにしてもよい。
【０１００】
本実施の形態２では、調節カバー２６を筐体１３の円筒形の円周方向にスライドさせるように構成したが、これに限らない。例えば、調節カバー２６を筐体１３の中心軸４０に沿ってスライドさせるようにしてもよい。これにより、調節カバー２６の設計自由度が向上する。
【産業上の利用可能性】
【０１０１】
本発明に係る送風装置は、送風装置から所望の距離離れた位置における吹出気流に含まれる機能性成分の濃度を高くすることを可能にするものである。
【符号の説明】
【０１０２】
１    送風装置
１１    窪み
１２    土台
１３    筐体
２１    吸込口
２３    誘引空気吸込口
２３ａ    第１開口部
２５    凹部
２６    調節カバー
２６ａ    第２開口部
３０    高圧空気発生手段
３１    遠心羽根車
３２    モータ
３３    モータステイ
４０    中心軸
４１    第１吹出口
４２    第２吹出口
４３    誘引空気吹出口
４４    第１内周壁面
４５    外周壁面
４６    第２内周壁面
６１    第１風路
６２    第２風路
６３    誘引風路
７０    機能性成分導入手段
７１    貯蔵容器
７２    滴下装置
７３    気化フィルタ
８１    第１吹出気流
８２    第２吹出気流
８３    誘引気流
８４    外周誘引気流
９１    包囲領域
９２    合流点
２０１    送風装置
２０２    吸気口
２０３    排気口
２０４    外箱
２０５    ファン
２０６    蒸発板
２０７    機能性成分
２０８    滴下装置
２０９    ヒーター
２１０    混合気
【図１】
2020041436.tif 000003
【図２】
2020041436.tif 000004
【図３】
2020041436.tif 000005
【図４】
2020041436.tif 000006
【図５】
2020041436.tif 000007
【図６】
2020041436.tif 000008
【図７】
2020041436.tif 000009
【図８】
2020041436.tif 000010
【図９】
2020041436.tif 000011